(57)【要約】【課題】  ロック機構として扉を途中まで閉じると後は自動で閉位置まで引き込まれる機構を兼用できるようにし、それにより扉の開閉操作性を向上する。【解決手段】  本体７に対し扉８を開位置及び閉位置に回動切り換える場合に用いられて、扉に設けられた爪部材６と解除可能に係合した状態で該扉を閉位置に保つロック機構である。要部は、本体７側に摺動自在に配置されて爪部材６と係脱するストッパー３と、扉８の回動に連動して動く可動部材４と、本体７側に枢支されてストッパー３と可動部材４とを作動連結するアーム２と、ストッパー３を付勢する付勢部材５とを備え、ストッパー３が、扉８を開位置から閉位置の途中まで回動する過程で、可動部材４とアーム２とを介してかつ付勢部材５の付勢力を増大しながら本体７から突出する方向へ摺動されて、爪部材６と係合した後、付勢部材５の付勢力により逆方向へ摺動されて扉８を閉位置に引き込むようにした。【選択図】        図１
2006192113.tif 000002
【特許請求の範囲】
【請求項１】
本体の対応面に対し扉を開位置及び閉位置に回動切り換える場合に用いられて、前記扉に設けられた爪部材と解除可能に係合した状態で該扉を閉位置に保つロック機構において、
前記本体側に摺動自在に配置されて前記爪部材と係脱するストッパーと、前記扉の回動に連動して動く可動部材と、前記本体側に枢支されて前記ストッパーと可動部材とを作動連結するアームと、前記ストッパーを付勢する付勢部材とを備え、
前記ストッパーが、前記扉を開位置から閉位置の途中まで回動する過程で、前記可動部材と前記アームとを介してかつ前記付勢部材の付勢力を増大しながら前記本体から突出する方向へ摺動されて、前記爪部材と係合した後、前記付勢部材の付勢力により逆方向へ摺動されて前記扉を閉位置に引き込むことを特徴とするロック機構。
【請求項２】
前記可動部材はボス部を有していると共に、前記アームは前記ストッパーと作動連結されている第１腕部及び、前記可動部材のボス部に押圧される第２腕部を有している請求項１に記載のロック機構。
【請求項３】
前記本体に取り付けられるベースを有し、前記ベースに対して前記ストッパー及び前記アーム並びに前記付勢部材を配設している請求項１又は２に記載のロック機構。
【請求項４】
前記アームは、前記ベースに設けられた歯部に噛み合って前記扉の引き込み時の動きを制動するダンパーを有している請求項３に記載のロック機構。
【請求項５】
前記扉は、下扉と上扉とに分割されていると共に、前記下扉と前記上扉とが前記可動部材により連結されることにより同時に開閉可能になっている請求項１から４の何れかに記載のロック機構。
【発明の詳細な説明】
【技術分野】
【０００１】
本発明は、ロック機構のうち、特に扉を本体の対応面（例えば、開口やスイッチ等の操作面）に対し開位置と閉位置とに回動切り換える場合に用いられるロック機構に関するものである。
【背景技術】
【０００２】
食器洗浄機などでは、特許文献１に例示されるように、本体が食器類を出し入れする比較的大きな開口を形成していると共に、扉（ドア）が１枚ものだと重くなって操作性に欠けるため上扉と下扉というように複数に分割される。上扉及び下扉は、各扉を回動自在に支持するヒンジ部に設けたギアと、前記各ギアを連動チエーンによって連結することにより、一方を開閉操作することで他方も連動して開閉される構成である。また、各扉は、本体に対しロック機構により閉位置に保持される。そのロック機構は、各扉の内面に突設した爪部材（ロック爪）を、本体側に設けられて一方向に付勢されたロック板の窓部に係合することにより、各扉を本体側に水密状態に保持する。また、下扉には取手及び解除レバーが設けられている。そして、各扉を開放する場合は、取手を掴むときに解除レバーを回動させることで、ロック板を付勢力に抗し下降して爪部材の係合を解除する。
【０００３】
【特許文献１】特開２００１−３２７４５３号公報
【発明の開示】
【発明が解決しようとする課題】
【０００４】
上記した従来構造では次のようなことが問題となる。まず、扉の閉操作では、扉が大きくなったり重くなると、扉が未だ閉位置まで回動されていない段階、又は、ロック機構により閉位置を保持していない段階で、該扉に対する押し力を解放してしまうことも起きるため、そのような不具合を確実になくしたい。対策としては、例えば、扉を閉位置の途中まで回動すると、後は自動的に引き込まれて保持される機構をロック機構に兼用させたい。また、扉を分割した構造において、従来のギヤ及び連動チエーンは大がかりで高価となるため、より簡単な構造によって一方を開閉操作することで他方も連動して開閉されるようにしたい。
【０００５】
本発明の目的は、以上のような課題を解消して、ロック機構として扉を途中まで閉じると後は自動で閉位置まで引き込まれる機構を兼用できるようにし、それにより扉の開閉操作性を向上したり、不完全な閉状態を確実に解消することにある。
【課題を解決するための手段】
【０００６】
上記目的を達成するため本発明は、本体の対応面に対し扉を開位置及び閉位置に回動切り換える場合に用いられて、前記扉に設けられた爪部材（解除用レバー等で操作される爪部材）と解除可能に係合した状態で該扉を閉位置に保つロック機構において、前記本体側に摺動自在に配置されて前記爪部材と係脱するストッパーと、前記扉の回動に連動して動く可動部材と、前記本体側に枢支されて前記ストッパーと可動部材とを作動連結するアームと、前記ストッパーを付勢する付勢部材とを備え、前記ストッパーが、前記扉を開位置から閉位置の途中まで回動する過程で、前記可動部材と前記アームとを介してかつ前記付勢部材の付勢力を増大しながら前記本体から突出する方向へ摺動されて、前記爪部材と係合した後、前記付勢部材の付勢力により逆方向へ摺動されて前記扉を閉位置に引き込むことを特徴としている。
【０００７】
以上のロック機構は、ストッパーが爪部材と係合して扉を閉位置に保つ作用と、扉を閉方向へ途中まで回動するとそれ以降は扉を自動的に閉位置まで引き込む作用とを兼ねる。後者の引き込み作用は、扉が閉方向へ回動されると、ストッパーが可動部材及びアームを介して本体の対応面から突出する方向へ摺動され、扉が閉位置に達する前段階、つまり扉の半開状態で扉側の爪部材と係合した後、付勢部材の付勢力により逆方向へ摺動され、該摺動によって扉を半開状態から閉位置まで引き込んで保持する。
また、以上の本発明は、前記可動部材がボス部を有していると共に、前記アームが前記ストッパーと作動連結されている第１腕部及び、前記可動部材のボス部に押圧される第２腕部を有していること（請求項２）、前記本体に取り付けられるベースを有し、前記ベースに対して前記ストッパー及び前記アーム並びに前記付勢部材を配設していること（請求項３）、前記アームが前記ベースに設けられた歯部に噛み合って前記扉の引き込み時の動きを制動するダンパーを有していること（請求項４）、前記扉が下扉と上扉とに分割されていると共に、前記下扉と前記上扉とが前記可動部材により連結されることにより同時に開閉可能になっていること（請求項５）が好ましい。
【発明の効果】
【０００８】
本発明のロック機構は次のような利点を具備できる。
・請求項１の発明では、保持作用及び引き込み作用を兼ねるため扉の開閉操作性を向上できる。具体的には、例えば、扉を閉方向の途中まで回動すると以後は閉位置まで自動的に引き込まれるため扉が不用意に不完全な閉状態になることもなくなり、また、扉が付勢部材の付勢力にて引き込まれて閉位置に保持されるため本体に対する密着性やシール性も向上し易くなる。
・請求項２の発明では、例えば、扉の開から閉位置への回動に連動してストッパーを本体の対応面から突出方向へ摺動する構成として簡素化できるようにする。
・請求項３の発明では、主部材がベースに組み込まれてユニット化されているため取扱性、本体への組込性等に優れたものとなる。
・請求項４の発明では、例えば、付勢部材の付勢力を増大しても、扉の引き込み速度がダンパーにより制動されるため高級感を付与できる。
・請求項５の発明では、扉を分割して、各扉を同期して開閉する構成として、特許文献１よりも簡単に実施できる。
【発明を実施するための最良の形態】
【０００９】
本発明の最良な形態を図面を参照しながら説明する。図１〜図６は発明形態のロック機構を適用した場合の作動を模式的に示している。図７〜図９は前記ロック機構の構成を明らかにするため図２〜図４の状態で示す要部拡大図である。図１０〜図１４は前記ロック機構を構成している部材を示す単品構成図である。なお、図面上は理解し易くするために、図１〜図６では本体及び扉（下扉及び上扉）を一点鎖線で示し、図７〜図９では可動部材を一点鎖線で示している。以下の説明では、構造、組立を述べた後、開閉作動について詳述する。
【００１０】
（構造）本発明のロック機構は、本体７の対応面（例えば、ハウジングやケースの開口やスイッチ等の操作面）に対し扉８を開位置及び閉位置に回動切り換える場合に用いられて、扉８に設けられた爪部材６と解除可能に係合した状態で扉８を閉位置に保つものが対象となる。部材構成としては、本体７の側壁等に取り付けられるベース１、ベース１の表面に枢支されるアーム２、アーム２に作動連結されて爪部材６と係脱するストッパー３、扉８の回動に連動して動くと共にアーム２を押圧可能な可動部材４、ストッパー３に作用する付勢部材５などを備えている。そして、ストッパー３は、扉８を開位置から閉位置の途中まで回動する過程で、可動部材４とアーム２とを介してかつ付勢部材５の付勢力を増大しながら本体７から突出する方向へ摺動されると共に、爪部材６と係合した後、付勢部材５の付勢力により逆方向へ摺動されて扉８を閉位置に引き込む。
【００１１】
ここで、本体７は、食器洗浄機を想定しているが、例えば、電子機器等の装置（ハウジングやケース）であっても差し支えない。この本体７は、両側壁及び上下壁並びに背壁で区画されて前面開口した容器状をなし、前面開口を縁取っている略矩形の枠部のうち、下枠部分から張り出した状態に設けられた後述する下扉８Ａを枢支するブラケット７ａ等を有している。
【００１２】
扉８は、本体７の対応面に対し開位置と閉位置とに回動切り換えるタイプで、形態例では下扉８Ａと上蓋８Ｂとに分割されているが、一枚ものであってもよい。下扉８Ａは、前記ブラケット７ａに対し軸８ｃを介して回動可能に枢支されていると共に、背面の両下側に突設された連結片８ｄを有している。上蓋８Ｂは、背面の両側に突設された概略Ｕ形の連結片８ｅを有し、本体７の側壁又は該側壁外面に付設された不図示のブラケットに対し軸８ｆを介して回動可能に枢支されている。そして、下扉８Ａと上扉８Ｂとは、可動部材４の対応端側に軸８ｇ，８ｈを介し回動可能に枢支された状態で互いに連結されていて、下扉８Ａを開閉操作することで上扉８Ｂも連動して開閉される。また、下扉８Ａは、図１４に模式的に示したように、本発明のロック機構に対応した箇所に設けられた爪部材６及び係合解除用レバー３０を有している。爪部材６は、支持部３１に対し軸３２を介し回動可能に枢支されて、先端のフック部６ａが下扉８Ａの背面に貫通され孔８ｊから外へ突出されていると共に、ばね部材３３により係合位置方向に付勢回動されている。レバー３０は、基端側が枢軸３４を支点として図１４の矢印方向へ押圧操作される。すると、爪部材６は、レバー３０により逆時計回りへ押圧されて係合解除される。なお、爪部材６及び解除レバー３０は、この形態に限られず、例えば、特許文献１に開示されているロック爪及びレバー構成、或いはそれに類似した構成でもよい。
【００１３】
ロック機構の細部は以下の通りである。ベース１は、図１０に示されるように、ロック機構を構成しているストッパー３とアーム２並びに付勢部材５を配設してユニット化する板材であり、本体７の外側面に取り付けられると共に、これに取り付けられる不図示のカバー材にて目視不能に覆われる。形状的には、前側に設けられてベース前後に貫通されて上下に長い孔１０ａを形成している枠部１０と、前端面に設けられた本体側への取付部１１と、枠部１０の後側に突設された軸部１２と、軸部１２の下側に位置して前後方向へ延びている対のガイドレール１３と、軸部１２の上側に設けられた窓１４及び該窓１４の円弧状穴縁部に沿って設けられた歯部１５と、軸部１２を支点として後側に設けられた円弧状の案内溝１６と、下後側へ延びた箇所に設けられている掛け止め用係止部１７と、窓１４の後側付近に設けられた保持用の突壁部１８と、ベース外面に突設されて前記したカバー材を取り付ける複数の支柱１９とを有している。
【００１４】
アーム２は、図１１に示されるように、前記軸部１２に嵌合される軸孔２０を中心として、ストッパー３と作動連結する第１腕部２１と、後述する可動部材４のボス部４４で押圧される第２腕部２２と、ダンパー取付用の第３腕部２３とが３方向へ延びている。第１腕部２１には長孔２４が貫通形成されている。第２腕部２２は、第１腕部２１及び第３腕部２３に対し下へ段差を持って連結されていると共に、先端の下面に突設されて前記案内溝１６に嵌合する突起２５を有している。第３腕部は、第１腕部２１と同一高さで反対側へ延びていて、ダンパー２６をワンタッチで装着可能となっている。ダンパー２６は、ロータリー式のオイルダンパー等からなり、本体２７に充填された油等の作動流体の抵抗を受けている出力軸及び該出力軸に装着された回転ギヤ２８を有している。
【００１５】
ストッパー３は、図１２に示されるように、前記両ガイドレール１３の間に前後摺動自在に配置される細長い部材であり、先端に設けられて爪部材６のフック部６ａと係脱するフック部３ａと、後端に設けられたばね用の係止部３ｂと、外面にあって前後途中に突設されてアーム２の長孔２４に嵌合する軸部３ｃと、両側縁部に設けられた段差状の嵌合部３ｄとを有している。
【００１６】
可動部材４は、図１及び図１３に示されるように、下扉８Ａの連結片８ｄと上蓋８Ｂの連結片８ｅとを作動連結するリンク用の細長い直線板からなると共に、アーム２の第２腕部２２を押圧するボス部４４を有している。ボス部４４は、可動部材４にねじ４３を介して取り付けられた板片４０に設けられている。すなわち、板片４０は、片側上面に設けられた位置決め用溝４１と、他方側の下面に設けられた凹部４２とを形成している。そして、凹部４２には、軸状のボス部４４がばね部材４５を介して上下揺動可能に配置されている。すなわち、このボス部４４は、ばね部材４５の付勢力により凹部４２から突出する方向へ付勢されている。
【００１７】
（組立）次に、以上のアーム２とストッパー３並びに付勢部材４をベース１に対し組み付ける操作例について述べる。この操作では、まず、ストッパー３がベース１に対し後側から枠部１０の孔１０ａを通ってガイドレール１３とガイドレール１３との間に前後摺動自在に嵌合される。その後、付勢部材５は、一端５ａが係止部１７に係止され、他端５ｂがストッパー３の係止部３ｂに掛け止めされる。すると、ストッパー３は、図７に示されるように、図１２の段差状の嵌合部３ｄがガイドレール１３の前端面に当たって規制されるまで、付勢部材５の付勢力で後方へ摺動されて蓋８（下蓋８Ａ）のロック位置を保持可能となる。次に、アーム２は、第１腕部２１の長孔２４内にストッパー３の軸部３ｃを挿入し、第２腕部２２の突起２５をベース側案内溝１６に挿入し、ダンパー２６の回転ギヤ２８を歯部１５に噛み合わせるようにして、軸孔２０に軸部１２を嵌合することで、ベース１に対し所定角度だけ回動可能に組み付けられる。
【００１８】
このようにして、本発明のロック機構は、ベース１に各部材を組み付けたユニット品として本体７に組み付けられる。この組み付けでは、ベース１が本体７の側面にねじ等により取り付けられた後、下扉８Ａの連結片８ｄと上蓋８Ｂの連結片８ｅとが可動部材４を介して連結操作され、これによりロック機構として次のように機能する。なお、本体７には、以上のロック機構及び可動部材４を配設した後、上記したカバーが付設されることになる。
【００１９】
（作動）以上のロック機構の作動を図１〜図９を参照して説明する。
ア）、図１は下扉８Ａ及び上扉８Ｂが共に全開された扉の開位置を示している。この開位置では、ストッパー３が付勢部材５の付勢力を受けて本体背面側へ摺動されてロック位置ないしは引き込み位置であり、アーム２がストッパー３に対し第１腕部２１の長孔２４と軸部３ｃとの嵌合を介して作動連結され、可動部材４のボス部４４がアーム２（第２腕部２２）に非接触つまり連結していない状態となっている。
イ）、図２及び図７は、下扉８Ａが軸８ｃを支点として開位置から閉方向へ押操作されて回動されている過程を示している。この構造では、下扉８Ａが閉方向へ回動されると、上扉８Ｂが可動部材４を介して軸８ｆを支点として閉方向へ回動される。また、可動部材４は、下扉８Ａの回動に同期して下斜めに動くと、ボス部４４が第２腕部２２の先端側対応部を押圧する。すると、アーム２は、軸部１２を支点として時計回りの方向へ回動される。この回動では、突起２２が案内溝１６に沿って摺動し、ストッパー３が軸３ｃを長孔２４に嵌合した状態で第１腕部２１により前側へ押されて摺動される。
【００２０】
ウ）、図３及び図８は、下扉８Ａが更に閉方向へ回動されることにより、ストッパー３が付勢部材５の付勢力を増大しながらアーム２の第１腕部２１等を介して最大まで突出され、下扉側の爪部材６と係合した直前状態を示している。また、この構造では、図７〜図９から分かるように、下扉８Ａが上扉８Ｂと同期して閉方向へ回動される過程において、ダンパー２６の回転ギヤ２８がベース側の歯部１５と噛み合っており、該噛み合いを介してアーム２の軸部１２を支点とした回動が制動され、その制動によってストッパー３の摺動が緩やかとなり、この結果、下扉８Ａ及び上扉８Ｂも制動された早さで閉位置に回動切り換えられることになる。
【００２１】
エ）、図４及び図９は、その後、可動部材４の下移動により、ボス部４４がアーム２の第２腕部２２の先端面を超えた状態を示している。この構造では、ボス部４４が第２腕部２２から外れて、可動部材４がアーム２と非連結状態になると、以後はストッパー３がアーム２の規制作用を受けないため付勢部材５の付勢力によって後方へ摺動される。このようにして、下扉８Ａは、ストッパー３が爪部材６と係合した状態で付勢部材５の付勢力により後方へ自動的に摺動されながら、図５に示す閉位置に回動切り換えられる。勿論、上扉８Ｂも可動部材４を介して軸８ｆを支点として閉方向へ回動されて閉位置に切り換えられる。また、下扉８Ａと上扉８Ｂは、閉位置において、ストッパー３が付勢部材４で後方へ引っ張られているため該引き力に応じた力で保持される。このような作動は、扉８（下扉８Ａ及び上扉８Ｂ）が開位置から閉方向へ押圧されるだけで、常に閉位置まで引き込まれて保持されるため、例えば、従来のように誤って不完全な閉状態で食器の洗浄を開始する虞を解消でき、本体７に対する扉側のシール性や密着性も確実に維持し易くなる。
【００２２】
オ）、図６は図５の閉位置から扉を再び開放するため、図１４に示したレバー３０を押操作してストッパー３（のフック部３ａ）に対する爪部材６（のフック部６ａ）の係合を解除し、下扉８Ａを下向きに回動操作している過程を示している。この開操作では、可動部材４が上斜めへ移動され、ボス部４４がそれに伴ってアーム２の第２腕部２２の先端を乗り越えて図２等のごとく第２腕部２２から離れていく。扉８（下扉８Ａ及び上扉８Ｂ）は、最終的に図２の状態から図１の開位置に回動切り換えられる。なお、この構造では、ボス部４４が第２腕部２２の先端を乗り越え易くするため、凹部４２に対しばね部材４５を介し上下揺動可能に配置されるようにし、また、第２腕部２２の先端を傾斜状態（先端下側を先端上側よりも薄くなるよう）に形成している。
【００２３】
以上のように、本発明のロック機構は、課題に挙げたような問題を一掃して扉を途中まで閉じると後は自動で閉位置まで引き込まれる機構を比較的簡単に兼用できる。勿論、本発明は、上記した形態例に何ら制約されるものではなく、各部材の細部については種々変更可能なものである。一例としては、ダンパー２６を省略したり、ボス部４４を可動部材４に一体に形成することも可能である。
【図面の簡単な説明】
【００２４】
【図１】発明形態のロック機構による扉開閉（開位置）を示す模式図である。
【図２】上記扉が閉方向へ回動されている過程を示す模式図である。
【図３】上記扉が更に回動され爪部材がストッパーと係合したときの模式図である。
【図４】上記扉が閉方向へ自動的に引き込まれはじめたときの模式図である。
【図５】上記扉が閉位置まで回動保持された状態を示す模式図である。
【図６】上記扉が開方向へ回動されている過程を示す模式図である。
【図７】上記ロック機構を図２の状態で示す要部拡大図である。
【図８】上記ロック機構を図３の状態で示す要部拡大図である。
【図９】上記ロック機構を図４の状態で示す要部拡大図である。
【図１０】（ａ）〜（ｃ）は上記ロック機構のベースを示す正面と側面及びＡ−Ａ線断面図である。
【図１１】（ａ），（ｂ）は上記ロック機構のアームを示す平面と側面図である。
【図１２】上記ロック機構のストッパーを示す平面図である。
【図１３】（ａ），（ｂ）は上記ロック機構の可動部材を示す平面とＢ−Ｂ線断面図である。
【図１４】扉側の爪部材を模式的に示す構成図である。
【符号の説明】
【００２５】
１…ベース（１２は軸部、１３ガイドレール、１５歯部、１６は案内溝）
２…アーム（２０は軸孔、２１は第１腕部、２２は第２腕部、２３は第３腕部）
３…ストッパー（３ａはフック部、３ｂは係止部）
４…可動部材（４４はボス部）
５…付勢部材
６…爪部材（６ａはフック部）
７…本体
８…扉（８Ａは下扉、８Ｂは上扉）
２６…ダンパー（２７は本体、２８は回転ギヤ）
３０…解除用レバー
【図１】
2006192113.tif 000003
【図２】
2006192113.tif 000004
【図３】
2006192113.tif 000005
【図４】
2006192113.tif 000006
【図５】
2006192113.tif 000007
【図６】
2006192113.tif 000008
【図７】
2006192113.tif 000009
【図８】
2006192113.tif 000010
【図９】
2006192113.tif 000011
【図１０】
2006192113.tif 000012
【図１１】
2006192113.tif 000013
【図１２】
2006192113.tif 000014
【図１３】
2006192113.tif 000015
【図１４】
2006192113.tif 000016